(57)【要約】【課題】構造が簡単で、荷重を３本の脚の側面で支持して、重量物でも強固に支持することができると共に、水平に保持することができる三脚構造を提供するものである。【解決手段】第１の脚１１Ａの上部両側に、第２および第３の脚１１Ｂ、１１Ｃの上部を第１の連結ボルト１２Ａで回動自在に連結し、上下方向に配置した連結金具１５の側面に、前記第１の脚１１Ａの上部を両側から挟持する支持ブラケット１６、１６を突設して、第１の脚１１Ａと支持ブラケット１５を第２の連結ボルト１２Ｂで連結すると共に、連結金具１５の下部に平面略Ｃ形の保持枠１７を横方向に突設し、この保持枠１７の内側で前記第２および第３の脚１１Ｂ、１１Ｃの上部側面を保持するようにしたことを特徴とするものである。【選択図】　　図１
2004089104.tif 000002
【特許請求の範囲】
【請求項１】
第１の脚の上部両側に、第２および第３の脚の上部を第１の連結ボルトで回動自在に連結し、上下方向に配置した連結金具の側面に、前記第１の脚の上部を両側から挟持する支持ブラケットを突設して、第１の脚と支持ブラケットを第２の連結ボルトで連結すると共に、連結金具の下部に平面略Ｃ形の保持枠を横方向に突設し、この保持枠の内側で前記第２および第３の脚の上部側面を保持するようにしたことを特徴とする三脚構造。
【請求項２】
連結金具の上部に、釣り竿支持台が設けられていることを特徴とする請求項１記載の三脚構造。
【請求項３】
請求項１記載の三脚構造において、連結金具が筒状に形成され、更にこの筒状連結金具に、支柱が上下動自在に挿着されていると共に、連結金具の側面に支柱を任意の高さに固定するストッパーが取付けられていることを特徴とする三脚構造。
【請求項４】
支柱の上部に釣り竿支持台が形成されていることを特徴とする請求項３記載の三脚構造。
【請求項５】
第１、第２および第３の脚と、支柱がパイプで形成されていることを特徴とする請求項１、３または４記載の三脚構造。
【発明の詳細な説明】
【０００１】
【発明の属する技術分野】
本発明は釣り竿を任意の角度で固定する釣り竿支持台に関するものである。
【０００２】
【従来の技術】
従来の釣り竿支持台を構成する三脚は、図５に示すように三脚１の上部にヒンジ２を介して、支持台３が取付けられ、この支持台３に竿支えシャフト４を貫通させた構造をなし、この竿支えシャフト４に釣り竿５を斜めに支持させ、基端部に石６などを載せて釣り竿５を固定していた。
【０００３】
しかしながらこの釣り竿支持台は、三脚１の上部にヒンジ２を介して、支持台３に接続されているため、大きな荷重が加わるとヒンジ２が回動して安定して支持できない問題があった。またこの釣り竿支持台は釣り竿５を斜めに支持させるので、この先端から繰り出される釣り糸までの距離が短くなる欠点があった。
【０００４】
またカメラを支持する三脚構造も各脚が伸縮自在に形成されているため、重量のあるカメラを支持する場合には、ヒンジに大きな荷重が加わり安定して支持できないと共に、高さを調整する場合には脚を伸ばしていくため、脚が長くなるほど不安定になる問題があった。
【０００５】
【発明が解決しようとする課題】
本発明は上記問題を改善し、構造が簡単で、荷重を脚の側面で支持して重量物でも強固に支持することができると共に、水平に保持することができる三脚構造を提供するものである。
【０００６】
【課題を解決するための手段】
本発明の請求項１記載の三脚構造は、第１の脚の上部両側に、第２および第３の脚の上部を第１の連結ボルトで回動自在に連結し、上下方向に配置した連結金具の側面に、前記第１の脚の上部を両側から挟持する支持ブラケットを突設して、第１の脚と支持ブラケットを第２の連結ボルトで連結すると共に、連結金具の下部に平面略Ｃ形の保持枠を横方向に突設し、この保持枠の内側で前記第２および第３の脚の上部側面を保持するようにしたことを特徴とするものである。
【０００７】
請求項２記載の三脚構造は、連結金具の上部に、釣り竿支持台が設けられていることを特徴とするものである。請求項３記載の三脚構造は、連結金具が筒状に形成され、更にこの筒状連結金具に、支柱が上下動自在に挿着されていると共に、連結金具の側面に支柱を任意の高さに固定するストッパーが取付けられていることを特徴とするものである。
【０００８】
請求項４記載の三脚構造は、支柱の上部に釣り竿支持台が形成されていることを特徴とするものである。更に請求項５記載の三脚構造は、第１、第２および第３の脚と、支柱がパイプで形成されていることを特徴とするものである。
【０００９】
【発明の実施の形態】
以下本発明の実施の一形態を図１ないし図３を参照して詳細に説明する。図において１０は三脚構造で、それぞれパイプで形成された第１の脚１１Ａと、第２の脚１１Ｂと第３の脚１１Ｃで構成されている。第１の脚１１Ａは、第２および第３の脚１１Ｂ、１１Ｃとほぼ同じ長さで、その先端は斜めに形成されている。第２の脚１１Ｂと第３の脚１１Ｃの上端は、第１の脚１１Ａの両側から挟むように取付けられ、第１の連結ボルト１２Ａがこれらを貫通して蝶ナット１３で締付けて連結されている。
【００１０】
また図２において１５は板材で形成された連結金具で、この中間の側面に２個の支持ブラケット１６、１６が突設され、この下方の連結金具１５の下部には、平面略Ｃ形の保持枠１７が水平に突設されていると共に、フック１８が取付けられている。また連結金具１５の上部には釣り竿支持台２０が形成されている。この釣り竿支持台２０は板材２１を平面エ字形に組み合わせ、その前部側の板材２１の両端にＵ形の竿係止具２２、２２が取付けられ、その後部側の板材２１の両端に逆Ｕ形の竿係止具２３、２３が取付けられている。
【００１１】
このように、上部に釣り竿支持台２０を一体に形成した連結金具１５は、その側面に突設した支持ブラケット１６、１６に、第１の脚１１Ａの上部が、第２の連結ボルト１２Ｂと蝶ナット１３で連結されている。また第１の脚１１Ａの両側には、第２および第３の脚１１Ｂ、１１Ｃの上端が、第１の連結ボルト１２Ａと蝶ナット１３で連結され、これら第１〜第３の脚１１Ａ〜１１Ｃは、連結金具１５の下部に突設した平面略Ｃ形の保持枠１７の内側にセットされている。上下の蝶ナット１３、１３を緩めた状態で、連結金具１５を持ち上げると第１〜第３の脚１１Ａ〜１１Ｃは平行に揃って収納が容易となる。
【００１２】
この三脚構造１０を使用する場合には、第１〜第３の脚１１Ａ〜１１Ｃを三角形状に広げて、第１の連結ボルト１２Ａの蝶ナット１３を締付けて３本の脚１１Ａ〜１１Ｃを固定する。また第１の脚１１Ａの上部は、連結金具１５の側面に接触させて第２の連結ボルト１２Ｂを蝶ナット１３で締付けて連結金具１５と第１の脚１１Ａを固定する。
【００１３】
次に連結金具１５の下部に取付けたフック１８に、重りとして水を入れたバケツ２５を吊り下げて、重心位置を低くして安定させる。この後、釣り糸をセットした釣り竿５を釣り竿支持台２０の前側のＵ形の竿係止具２２に載せ、基端部を後側の逆Ｕ形の竿係止具２３に下から引っ掛けて支持させる。この状態で、釣り竿５はほぼ水平に支持される。
【００１４】
従ってこの三脚構造１０は、釣り竿５やバケツ２５を支持した状態で、第１〜第３の脚１１Ａ〜１１Ｃには大きな荷重が加わるが、図３に示すように第２および第３の脚１１Ｂ、１１Ｃは、その上部側面が、連結金具１５に突設した平面略Ｃ形の保持枠１７の内側に当接して、荷重を脚側面で受けた状態となると共に、脚１１Ｂ、１１Ｃの広がりを防止することができる。
【００１５】
また第１の脚１１Ａも第２の連結ボルト１２Ｂが貫通して連結金具１５の支持ブラケット１６、１６に連結されているので、荷重を脚全体で受けた状態となると共に、傾斜した上端部が連結金具１５の側面に当接しているので脚の開き角度が規定され広がることがない。この結果、図５に示す従来の三脚１のように、荷重がヒンジ２に加わらず、脚側面で受けるため、大きな荷重が加わっても安定して支持することができる。
【００１６】
図４は本発明の他の実施の形態を示すもので、連結金具１５は金属パイプ２６で形成され、この上部側面に支持ブラケット１６、１６、が突設され、下部側に平面略Ｃ形の保持枠１７が水平に突設されている。また金属パイプ２６の上部側面にはストッパーボルト２７が取付けられている。
【００１７】
２８は釣り竿支持台で、アングル材２９の中央に金属パイプ２６で形成された支柱３０が取付けられ、前記アングル材２９の両端に丸棒状の支持突起３１が突設されている。
【００１８】
この三脚構造１０では、前述と同様に蝶ナット１３、１３を締付けて、第１〜第３の脚１１Ａ〜１１Ｃを広げた状態で固定する。次に金属パイプ２６で形成した連結金具１５に、釣り竿支持台２８の支柱３０を上から挿入して、ストッパーボルト２７で固定して所定の高さに調整する。
【００１９】
この後、釣り竿連結具３３を釣り竿支持台２８の上に取付ける。この釣り竿連結具３３はＵ形に湾曲した板状部材３４に上下方向に貫通する複数個の丸孔３５…が形成されていると共に、この板状部材３４の両端に受け部３６、３６が形成され、ここにバンド状の面ファスナー３７、３７が取付けられている。この釣り竿連結具３３の丸孔３５に、釣り竿支持台２８に設けた支持突起３１を挿着して固定し、面ファスナー３７を釣り竿５に巻き付けて支持するようになっている。釣り竿５の支持角度を上向きまたは下向きに調整する時には、Ｕ形に湾曲した板状部材３４に開孔した別の丸孔３５に挿着することにより変えることができる。
【００２０】
この構造では、第１〜第３の脚１１Ａ〜１１Ｃを広げた状態で支持面積は変わらず、釣り竿支持台２０の高さは、連結金具１５内に挿着された支柱３０の取付け位置を調整することに行なう。従って、釣り竿支持台２８の位置を高くしても、第１〜第３の脚１１Ａ〜１１Ｃの長さや角度は変わらず、安定して支持することができる。
【００２１】
なお上記説明では三脚構造１０に釣り竿支持台２０、２８を取付けた場合について示したが、カメラを支持するカメラ支持台を取付けてもよい。また画板を立てるイーゼルやテントの支柱など種々のものに適用することができる。
【００２２】
【発明の効果】
以上説明した如く本発明に係る請求項１記載の三脚構造によれば、第２および第３の脚は、その上部側面が、連結金具に突設した平面略Ｃ形の保持枠の内側に当接して、荷重を脚側面で受ける状態となると共に、脚の広がりを防止することができ、第１の脚も連結ボルトで連結金具に連結されて荷重を脚側面で受けるため、大きな荷重が加わっても安定して支持することができる。
【００２３】
また請求項２記載の三脚構造によれば、連結金具の上部に、釣り竿支持台が設けられているので、釣り竿を安定して支持することができる。
【００２４】
また請求項３記載の三脚構造によれば、連結金具が筒状に形成され、更にこの筒状連結金具に、支柱が上下動自在に挿着されていると共に、連結金具の側面に支柱を任意の高さに固定するストッパーが取付けられているので、高さの調整が容易である。更に請求項４記載の三脚構造は、上下動自在に挿着された支柱の上部に釣り竿支持台が形成されているので、釣り竿の高さ調整が容易である。
【００２５】
また請求項５記載の三脚構造によれば、脚と支柱がパイプで形成されているので、軽量で運搬が容易である。
【図面の簡単な説明】
【図１】本発明の実施の一形態による釣り竿支持台を設けた三脚構造の斜視図である。
【図２】図１の釣り竿支持台と一体に形成された連結金具の斜視図である。
【図３】図１の第２および第３の脚を、平面略Ｃ形の保持枠で支持している状態を示す平面図である。
【図４】本発明の他の実施の形態による釣り竿支持台を上下可動自在に取付けた三脚構造の斜視図である。
【図５】従来の釣り竿支持用の三脚を示す斜視図である。
【符号の説明】
１　　　　　　三脚
２　　　　　　ヒンジ
４　　　　　　竿支えシャフト
５　　　　　　釣り竿
１０　　　　三脚構造
１１Ａ　　第１の脚
１１Ｂ　　第２の脚
１１Ｃ　　第３の脚
１２Ａ　第１の連結ボルト
１２Ｂ　第２の連結ボルト
１３　　　　蝶ナット１３
１５　　　　連結金具１５
１６　　　　支持ブラケット
１７　　　　平面略Ｃ形の保持枠
２０　　　　釣り竿支持台
２２　　　　Ｕ形の竿係止具
２６　　　　金属パイプ
２７　　　　ストッパーボルト
２８　　　　釣り竿支持台
３０　　　　支柱
３３　　　　釣り竿連結具
【図１】
2004089104.tif 000003
【図２】
2004089104.tif 000004
【図３】
2004089104.tif 000005
【図４】
2004089104.tif 000006
【図５】
2004089104.tif 000007